(57)【要約】【課題】本発明は設定器と計量機との設置スペースを省スペース化することを課題とする。【解決手段】燃料供給装置１６は、セルフサービス方式の計量機２４と、設定器２６とを有する。設定器２６は、液晶モニタなどからなるタッチパネル４９を有し、タッチパネル４９に表示された設定入力画面に触れることで液種を選択、及び給液量の入力操作などを行える。タッチパネル４９は、設定器２６と流量表示器とを兼ねている。給液開始前のタッチパネル４９は、設定器２６の設定操作部として機能すると共に、設定終了後のタッチパネル４９は、給液量を表示する給液量表示器として機能するように設けられている。そのため、設定器２６は、計量機２４と一体的に設けられており、設置スペースが縮小されている。【選択図】    図２
2004175375.tif 000002
【特許請求の範囲】
【請求項１】
被燃料供給体への燃料の供給に先立って供給すべき燃料の情報を設定するための設定操作部と、
該設定操作部により設定された燃料の情報に基づいて燃料の供給を制御する供給制御手段と、
表示手段と、
前記設定操作部の操作が完了したことを検出する事前操作完了検出手段と、
前記事前操作完了検出手段により前記設定操作部の操作が完了することが検出されるまでは当該設定操作部に関する操作の案内を前記表示手段に表示させ、前記事前操作完了検出手段により前記設定操作部の操作が完了したことを検出した場合には、前記被燃料供給体への燃料供給量を前記表示手段に表示させる表示制御手段と、
を備えたことを特徴とする燃料供給装置。
【請求項２】
前記供給制御手段により供給された前回の燃料供給に関する情報を表示指示するための指示手段と、
前記指示手段が操作された場合に前記表示手段に前回の燃料供給に関する情報を表示させる第２の表示制御手段と、
を備えたことを特徴とする請求項１記載の燃料供給装置。
【請求項３】
前記表示手段は、タッチパネルよりなり、当該タッチパネル内に前記指示手段を表示させたことを特徴とする請求項２記載の燃料供給装置。
【発明の詳細な説明】
【０００１】
【発明の属する技術分野】
本発明は燃料供給システムに係り、特に燃料を供給する際に車両の燃料タンクに予め設定された燃料供給モード（プリセット供給モードまたは満タン供給モード）で燃料を供給するよう構成した燃料供給システムに関する。
【０００２】
【従来の技術】
例えば、ガソリンや軽油等の油液を車両の燃料タンクに供給する燃料供給システムを例に挙げて以下説明する。
【０００３】
給液所等では、セルフサービス方式の燃料供給装置が設置されており、顧客（運転者）自身が給液量の設定、給液作業、給液料金の精算を行うようになっている。また、燃料供給装置は、給液を行う計量機と、給液方法及び給液量などを設定する設定器が別箇に設けられている（例えば、特許文献１参照）。
【０００４】
顧客（運転者）は、設定器の設定操作部に設けられた各操作釦を押圧操作して給液料金の精算方法を指定した後、液種、給液量または給液金額などの入力を行うようになっている。給液料金の精算方法としては、現金で支払う方法、プリペイドカードやクレジットカードで支払う方法等がある。
【０００５】
また、従来のセルフサービス方式の燃料供給装置では、液種、給液量または給液金額の設定を行う設定器、及び紙幣が入金される自動支払機が設けられており、給液場所で給液料金の精算を行うことができる。
【０００６】
また、プリセット給液を行う場合には、現金またはプリペイドカードを挿入した後、各種スイッチ釦を押圧操作して液種、プリセット値（給液量または給液金額）を設定した後、確認釦をオンに操作すると、給液ノズルによる給液が可能になる。そして、設定器による設定操作が終了すると、計量機のノズル掛けから給液ノズルを外して車両の燃料タンクに給液することが可能になる。
【０００７】
【特許文献１】
特開２００２−１４５３９９号公報
【０００８】
【発明が解決しようとする課題】
上記従来の燃料供給装置では、設定器と計量機とが別箇に設けられているので、その分部品点数が増えて設定器及び計量機の設置スペースが大きくなり、複数台設置する場合には、限られた敷地面積を有効に利用することが難しいという問題があった。
【０００９】
また、燃料供給装置においては、設定器を操作するのは、給液開始前であり、給液が開始されると設定操作をする必要がなく、計量機に設けられた流量表示器は、設定操作が終了するまでゼロを表示しており、給液開始と共に、給液量を表示するので、設定器と流量表示器とを別個に設ける必要がなかった。
【００１０】
そこで、本発明は上記課題を解決した燃料供給装置を提供することを目的とする。
【００１１】
【課題を解決するための手段】
本発明は上記課題を解決するため、以下のような特徴を有する。
上記請求項１記載の発明は、被燃料供給体への燃料の供給に先立って供給すべき燃料の情報を設定するための設定操作部と、設定操作部により設定された燃料の情報に基づいて燃料の供給を制御する供給制御手段と、表示手段と、設定操作部の操作が完了したことを検出する事前操作完了検出手段と、事前操作完了検出手段により設定操作部の操作が完了することが検出されるまでは当該設定操作部に関する操作の案内を表示手段に表示させ、事前操作完了検出手段により設定操作部の操作が完了したことを検出した場合には、被燃料供給体への燃料供給量を表示手段に表示させる表示制御手段と、を備えたものであり、表示手段が設定操作部と燃料供給量の表示器を兼ねる構成とすることで、部品点数の削減、及び省スペース化を図ることが可能になる。
【００１２】
上記請求項２記載の発明は、供給制御手段により供給された前回の燃料供給に関する情報を表示指示するための指示手段と、指示手段が操作された場合に表示手段に前回の燃料供給に関する情報を表示させる第２の表示制御手段と、を備えたものであり、例えば、前回の燃料供給を行った顧客が伝票を紛失した場合でも表示手段に前回の燃料供給に関する情報を表示させて燃料供給量及び供給量に対応する精算金額や釣り銭の有無等を確認することが可能になる。
【００１３】
上記請求項３記載の発明は、表示手段がタッチパネルよりなり、当該タッチパネル内に指示手段を表示させたものであり、表示手段が設定操作部を兼ねる構成となり、部品点数の削減、及び省スペース化を図ることが可能になる。
【００１４】
【発明の実施の形態】
以下、図面と共に本発明の実施の形態について説明する。
図１は本発明になる燃料供給装置の一実施例が適用された給液システムの構成図である。
図１に示されるように、給液システム１０は、給液エリア１２に設置された釣り銭機１４と、複数の燃料供給装置１６（１６１〜１６ｎ）と、事務所１８内に設置されたＰＯＳ本体２０と、ＰＯＳ本体２０に接続された記憶装置２２とを有する。釣り銭機１４は、釣り銭を支払うための装置であり、係員の貨幣補充作業を容易にするため、事務所の近傍に設けられている。
【００１５】
燃料供給装置１６は、セルフサービス給液方式の計量機２４と、計量機２４に搭載された設定器２６と、料金をその場で精算するための自動支払機（入金機）２８とを有する。また、釣り銭機１４及び複数の燃料供給装置１６（１６１〜１６ｎ）は、通信回線（例えば、ＳＳ−ＬＡＮ）３０を介してＰＯＳ本体２０と接続されている。
【００１６】
また、給液エリア１２には、燃料供給装置１６（１６１〜１６ｎ）の周辺を監視するための監視カメラ３２１〜３２ｎが設けられている。監視カメラ３２１〜３２ｎは、カメラ分割ユニット３４に接続されており、監視カメラ３２１〜３２ｎにより撮像された画像はカメラ分割ユニット３４を介して監視モニタ３６に転送される。監視モニタ３６は、監視カメラ３２１〜３２ｎにより撮像された複数の画像を同時に分割表示する。
【００１７】
図２は燃料供給装置１６の正面図である。
図２に示されるように、燃料供給装置１６は、セルフサービス方式の計量機２４からなり、操作部３８と、操作部３８の両側に起立する支柱４０，４２と、上部に横架されたホース支持部４４とを有する。
【００１８】
計量機２４の内部には、後述する各給液系統の電磁弁と、給液ポンプと、流量計などの各機器が設けられている。
【００１９】
操作部３８には、静電気除去シート４６と、静電気除去シート４６の右側に配置された設定器２６と、自動支払機２８と、インタホン４８とが設けられている。設定器２６は、液晶モニタなどからなるタッチパネル（表示手段）４９を有し、タッチパネル４９に表示された設定入力画面に触れることで液種（軽油、レギュラーガソリン、ハイオクガソリン）を選択、給液量の入力操作などを行える。また、設定器２６の上方に配置されて人検知センサ５０が設けられており、人検知センサ５０がオンになると、顧客が設定器２６の前にいるものと判断して、設定器２６に設定入力画面が表示される。
【００２０】
また、タッチパネル４９は、設定器２６と流量表示器とを兼ねている。すなわち、給液開始前のタッチパネル４９は、設定器２６の設定操作部として機能すると共に、設定終了後のタッチパネル４９は、給液量を表示する給液量表示器として機能するように設けられている。そのため、設定器２６は、計量機２４と一体的に設けられており、設置スペースが縮小されている。これにより、給液所の限られた敷地により多くの燃料供給装置１６を設置することが可能になる。
【００２１】
また、人検知センサ５０としては、例えば、光センサあるいはイメージセンサなどを用いたものであり、給液操作を行う操作者が設定器２６の前に立ったことを検知してその検知信号を出力する。
【００２２】
自動支払機２８は、紙幣挿入部５２と、カード挿入部５４と、レシート発行部５６とを有する。紙幣挿入部５２は、挿入された紙幣の種別（千円札、２千円札、５千円札、一万円札）を鑑別する鑑別機能を有しており、顧客が挿入した紙幣の金額を設定器２６に表示させる。
【００２３】
カード挿入部５４は、給液所が発行したプリペイドカード、あるいはクレジットカードを挿入されると、カードに記憶された情報を読み取り、給液が可能かどうかを設定器２６に表示させる。
【００２４】
レシート発行部５６は、給液が終了すると、液種、給液量、給液金額、消費税、合計金額などの給液情報を記載したレシートを発行する。
【００２５】
また、計量機２４の前面パネル５８には、給液ノズル６０を掛止するノズル掛け６２が３箇所に設けられている。給液ノズル６０は、ホース支持部４４から吊り下げられた給液ホース６４が連通接続されている。
【００２６】
図３は燃料供給装置１６の各機器の構成を示すブロック図である。
図３に示されるように、燃料供給装置１６の制御回路（制御手段）６６には、各給液経路に設けられた電磁弁６８、給液ポンプ７０、流量計７２、メモリ８０と、人検知センサ５０、ノズル掛け６２に設けられたノズルスイッチ７４、自動支払機２８に設けられた紙幣鑑別部７６、設定器２６、カード挿入部５２に設けられたカードＲ／Ｗ７８、インタホン４８と、レシート発行部５６に設けられたプリンタ８２と接続されている。
【００２７】
また、メモリ８０には、後述する確認釦９０ｆ（事前操作完了検出手段）により操作部３８の操作が完了することが検出されるまでは当該操作部３８に関する操作の案内をタッチパネル４９（表示手段）に表示させ、確認釦９０ｆにより操作部３８の操作が完了したことを検出した場合には、車両（被燃料供給体）への燃料供給量をタッチパネル４９に表示させる制御プログラム（表示制御手段）が格納されている。
【００２８】
また、メモリ８０には、後述する前回給液量釦（指示手段）８４ｃが操作された場合にタッチパネル４９に前回の燃料供給に関する情報を表示させる制御プログラム（第２の表示制御手段）が格納されている。
【００２９】
ここで、図４乃至図１０を参照して設定器２６のタッチパネル４９に表示される設定操作画面の表示例について説明する。
【００３０】
手順▲１▼：顧客（運転者）が設定器２６の前に立つと、人検知センサ５０がオンになるため、図４に示されるように、タッチパネル４９の画面には、支払い方法入力画面８４が表示される。
【００３１】
支払い方法入力画面８４は、メッセージ表示領域８４ａと、設定操作表示領域８４ｂとを有する。そして、メッセージ表示領域８４ａには、例えば、「支払い方法を選んで下さい」といったような操作手順のガイダンスと、前回給液量釦（指示手段）８４ｃとが表示される。また、設定操作表示領域８４ｂには、「いらしゃいませ」といったメッセージが表示されると共に、現金支払い方法を選択するための現金選択釦８４ｄと、クレジットカード支払い方法を選択するためのクレジットカード選択釦８４ｅとが表示される。
【００３２】
前回給液量釦８４ｃは、前回給液された液種、給液量、給液金額などの給液データを表示させる場合に押圧操作される。尚、前回給液された給液データは、次の設定操作が開始されるまでメモリ８０に記憶されており、次の設定操作が開始と共に消去される。
【００３３】
顧客（運転者）は、タッチパネル４９に表示された現金選択釦８４ｄまたはクレジットカード選択釦８４ｅの表示領域に触れることで支払い方法を選択する。このように、支払い方法を選択されると、次の手順▲２▼に移行する。
【００３４】
手順▲２▼：例えば、手順▲１▼で現金支払い方法が選択された場合は、図５に示されるように、タッチパネル４９の画面に、紙幣入金画面８６が表示される。
【００３５】
紙幣入金画面８６は、メッセージ表示領域８６ａと、設定操作表示領域８６ｂとを有する。そして、メッセージ表示領域８６ａには、例えば、「右の紙幣投入口より紙幣を入れてください」といったような操作手順のガイダンスが表示される。
【００３６】
また、設定操作表示領域８６ｂには、紙幣挿入部５２に挿入された紙幣の金額を表示する入金額表示欄８６ｃと、入金額表示欄８６ｃに表示された「金額がよろしければ「決定」を押して下さい」といったような操作手順のガイダンス８６ｄと、取消釦８６ｅと、決定釦８６ｆとが表示される。
【００３７】
従って、顧客（運転者）は、紙幣を紙幣挿入部５２に挿入した後、入金額表示欄８６ｃに表示された金額が入金額と一致することを確認して決定釦８６ｆを押圧操作する。また、入金額表示欄８６ｃに表示された金額が入金額と一致しない場合には、取消釦８６ｅを押圧操作する。
【００３８】
このように、紙幣投入後に決定釦８６ｆまたは取消釦８６ｅが押圧操作されると、次の手順▲３▼に移行する。
【００３９】
手順▲３▼：例えば、手順▲２▼で決定釦８６ｆが押圧操作される場合は、図６に示されるように、タッチパネル４９の画面に、液種選択画面８８が表示される。
【００４０】
液種選択画面８８は、メッセージ表示領域８８ａと、設定操作表示領域８８ｂとを有する。そして、メッセージ表示領域８８ａには、例えば、「液種を選んで下さい」といったような操作手順のガイダンスが表示される。
【００４１】
また、設定操作表示領域８８ｂには、レギュラ選択釦８８ｃ、ハイオク選択釦８８ｄ、軽油選択釦８８ｅ、取消釦８８ｆと、入金画面に戻る釦８６ｇとが表示される。
【００４２】
従って、顧客（運転者）は、車両のエンジン仕様に対応する液種の液種選択釦（例えば、レギュラ選択釦８８ｃ）を押圧操作する。また、液種選択操作を間違えた場合には、取消釦８８ｆを押圧操作する。また、入金額を変更した場合には、入金画面に戻る釦８６ｇを押圧操作する。
【００４３】
このように、レギュラ選択釦８８ｃ、ハイオク選択釦８８ｄ、軽油選択釦８８ｅの何れかの液種選択釦が押圧操作されると、次の手順▲４▼に移行する。
【００４４】
手順▲４▼：上記手順▲３▼で液種選択操作が行われると、図７に示されるように、タッチパネル４９の画面に、設定確認画面９０が表示される。
【００４５】
設定確認画面９０は、メッセージ表示領域９０ａと、設定操作表示領域９０ｂとを有する。そして、メッセージ表示領域９０ａには、例えば、「設定内容を確認してください」といったような操作手順のガイダンスが表示される。
【００４６】
また、設定操作表示領域９０ｂには、上記手順１〜３で設定された支払い方法、液種、入金額、単価、給液方法（プリセット給液モードまたは満タン給液モード）、プリセット給液の場合のプリセット金額、プリセット量が表示される設定データ一覧９０ｃと、量指定釦９０ｄと、金額指定釦９０ｅと、確認釦（事前操作完了検出手段）９０ｆと、取消釦９０ｇと、液種画面に戻る釦９０ｈとが表示される。
【００４７】
給液量を設定する場合には、量指定釦９０ｄを押圧操作する。この場合、入金額の範囲内で任意の給液量をプリセットすることが可能になる。また、給液金額を設定する場合には、金額指定釦９０ｅを押圧操作する。この場合、入金額を最大値として任意の給液金額をプリセットすることが可能になる。
【００４８】
確認釦９０ｆは、プリセット給液モードで給液する場合には、「確認」と表示されており、満タン給液モードで給液する場合には、「満タン」と表示される。従って、確認釦９０ｆは、顧客（運転者）が量指定釦９０ｄまたは金額指定釦９０ｅを押圧操作しない場合には、「満タン」と表示され、顧客（運転者）が量指定釦９０ｄまたは金額指定釦９０ｅを押圧操作した場合には、「確認」と表示される。
【００４９】
そのため、満タン給液モードで給液する場合には、液種を選択した後、確認釦９０ｆを押圧操作すれば良いことが容易に分かる。また、上記確認釦９０ｆの代わりに他の検出手段を事前操作完了検出手段として用いることも可能であり、例えば、ノズルスイッチ７４がオフになったとき事前操作完了したものと判断することも可能であり、あるいは流量計７２から出力された流量パルスにより事前操作完了と判断することも可能である。
【００５０】
このように、プリセット給液モードまたは満タン給液モードの設定操作が終了すると、次の手順▲５▼に移行する。
【００５１】
手順▲５▼：上記手順▲４▼で設定操作が行われると、図８に示されるように、タッチパネル４９の画面に、設定完了画面９２が表示される。
【００５２】
設定完了画面９２は、メッセージ表示領域９２ａと、設定完了表示領域９２ｂとを有する。そして、メッセージ表示領域９２ａには、例えば、「ノズルを給液口に入れ、レバーを引いてください」といったような操作手順のガイダンスが表示される。
【００５３】
また、設定完了画面９２には、上記設定データ（支払方法、液種、入金額、給液方法、プリセット給液モードの場合そのプリセット金額、プリセット量）を表示する設定データ表示部９２ｃと、取消釦９２ｄとが表示される。
【００５４】
従って、顧客（運転者）は、設定データ表示部９２ｃに表示された設定データを確認した後、給液ノズル６０をノズル掛け６２から外して車両（図示せず）の給液口に挿入する。そして、給液ノズル６０のノズルレバーが開弁操作されることで、給液が開始される。
【００５５】
このように、車両への給液が開始されると、次の手順▲６▼に移行する。
【００５６】
手順▲６▼：上記手順▲５▼で給液開始操作が行われると、図９に示されるように、タッチパネル４９の画面に、給液中画面９４が表示される。
【００５７】
給液中画面９４は、給液量を更新表示する給液量表示領域９４ａと、給液量に応じた金額を更新表示する給液金額表示領域９４ｂと、設定された液種の単価を表示する液種単価表示領域９４ｃと、支払方法、液種、入金額、給液方法等の設定データを表示する設定データ表示領域９４ｄとを有する。
【００５８】
そして、プリセット給液モードまたは満タン給液モードの給液が終了すると、次の手順▲７▼に移行する。
【００５９】
手順▲７▼：上記手順▲６▼で給液が終了すると、図１０に示されるように、タッチパネル４９の画面に、給液終了画面９６が表示される。
【００６０】
給液中画面９６は、メッセージ表示領域９６ａと、給液結果を表示する給液結果表示領域９６ｂとを有する。メッセージ表示領域９６ａには、例えば、「給液終了」といったメッセージを表示して、顧客（運転者）に給液が終了したことを報知する。
【００６１】
また、給液結果表示領域９６ｂには、例えば、「ありがとうございました」といったメッセージを表示すると共に、給液量、税込み給液金額、消費税額の各数値、及び支払方法、液種、入金額、給液方法等の設定データを表示する。
【００６２】
これで、顧客（運転者）は、タッチパネル４９に表示された給液終了画面９６から今回の給液操作による給液量、税込み給液金額を確認する。
【００６３】
この給液終了画面９６は、給液ノズル６０をノズル掛け６２に戻した後、所定時間表示される。その後、タッチパネル４９の画面には、図４に示す設定スタート画面８４が表示される。
【００６４】
尚、本実施例では、上記手順▲１▼〜▲７▼の各画面を順番に表示する場合について説明したが、例えば、手順▲５▼の設定完了画面９２（図８参照）を省略し、手順▲４▼から手順▲６▼に移行するようにしても良い。
【００６５】
ここで、燃料供給装置１６の制御回路６６が実行する制御処理について図１１及び図１２を参照して説明する。
【００６６】
図１１に示されるように、制御回路６６は、ステップＳ１１（以下「ステップ」を省略する）において、人検知センサ５０がオンかどうかをチェックする。人検知センサ５０がオンになると、顧客が設定器２６の前にいるものと判断して、Ｓ１２に進み、設定器２６のタッチパネル４９に支払い方法入力画面８４（図４参照）を表示する。
【００６７】
次のＳ１３では、支払い方法入力画面８４の右上に表示された前回給液量釦８４ｃが押圧操作されたかどうかをチェックする。Ｓ１３において、前回給液量釦８４ｃが押圧操作されたときは、Ｓ１４に進み、前回の給液量、税込み金額、消費税を表示する給液終了画面９６（図１０参照）をタッチパネル４９に表示する。
【００６８】
これにより、前回給液量及び税込み金額などの給液情報が分かるので、例えば、給液終了後に発行されるレシートを紛失した場合でも前回給液量釦８４ｃを押圧操作するだけで容易に前回の給液情報を確認することが可能になる。
【００６９】
Ｓ１５では、予め設定された所定時間（例えば、１０秒間）が経過したかどうかをチェックする。Ｓ１５において、所定時間が経過するまで給液終了画面９６（図１０参照）をタッチパネル４９に表示する（第２の表示制御手段）。そして、所定時間が経過すると、次のＳ１６に進む。また、上記Ｓ１３において、前回給液量釦８４ｃが押圧操作されないときは、上記Ｓ１４、Ｓ１５の処理を省略する。
【００７０】
次のＳ１６では、クレジットカード選択釦８４ｅが押圧操作されたかどうかをチェックする。Ｓ１６において、クレジットカード選択釦８４ｅが押圧操作されなかったときは、上記Ｓ１１に戻る。
【００７１】
また、Ｓ１６において、クレジットカード選択釦８４ｅが押圧操作されたときは、Ｓ１７に進み、カード挿入部５４に挿入されたカードが使用可能かどうかをチェックする。Ｓ１８において、カード挿入部５４に挿入されたカードが使用期限が切れていたり、契約以外のカードである場合には、Ｓ１９に進み、当該カードを返却して上記Ｓ１１に戻る。
【００７２】
また、上記Ｓ１８において、カード挿入部５４に挿入されたカードが使用可能であれば、Ｓ２０に進み、液種選択画面８８（図６参照）をタッチパネル４９に表示する。
【００７３】
また、上記Ｓ１７において、現金選択釦８４ｄが押圧操作されたときは、Ｓ２１に進み、紙幣入金画面８６（図５参照）をタッチパネル４９に表示して紙幣投入を指示する。次のＳ２２では、紙幣が紙幣挿入部５２に挿入されたかどうかをチェックする。
【００７４】
Ｓ２２において、紙幣が紙幣挿入部５２に挿入された場合は、Ｓ２３に進み、紙幣挿入部５２に挿入された紙幣の種別（千円札、２千円札、５千円札、一万円札）を紙幣鑑別部７６で鑑別し、その鑑別結果である入金額を表示する（図５参照）。続いて、Ｓ２４では、紙幣入金画面８６の決定釦８６ｆが押圧操作されたかどうかをチェックする。Ｓ２４において、紙幣入金画面８６の決定釦８６ｆが押圧操作されないときは、上記Ｓ１９に戻り、Ｓ１９以降の処理を実行する。
【００７５】
また、Ｓ２４において、紙幣入金画面８６の決定釦８６ｆが押圧操作されたときは、上記Ｓ２０に進み、液種選択画面８８（図６参照）をタッチパネル４９に表示する。
【００７６】
次のＳ２５では、液種選択画面８８に表示されたレギュラ選択釦８８ｃ、ハイオク選択釦８８ｄ、軽油選択釦８８ｅの何れかが押圧操作されたかどうかをチェックする。Ｓ２５において、レギュラ選択釦８８ｃ、ハイオク選択釦８８ｄ、軽油選択釦８８ｅの何れかが押圧操作されて液種を選択すると、Ｓ２６に進み、設定確認画面９０（図７参照）をタッチパネル４９に表示して設定内容の確認を行う（表示制御手段）。
【００７７】
このとき、設定確認画面９０の確認釦９０ｆは、プリセット給液モードの場合には、「確認」と表示され、満タン給液モードの場合には、「満タン」と表示される。これにより、顧客（運転者）は、満タン給液モードで給液する場合には、液種を選択した後、確認釦９０ｆを押圧操作すれば良いことが容易に分かるので、係員に質問することもなくなり、給液設定操作の時間が短縮される。
【００７８】
続いて、図１２に示されるように、Ｓ２７では、確認釦（満タン）９０ｆが押圧操作されたかどうかをチェックする。Ｓ２７において、確認釦（満タン）９０ｆが押圧操作されないときは、満タン給液モードが選択されずに、プリセット給液モードが選択されたものと判断してＳ２８に進み、設定確認画面９０の量指定釦９０ｄが押圧操作されたかどうかをチェックする。
【００７９】
Ｓ２８において、設定確認画面９０の量指定釦９０ｄが押圧操作されないときは、Ｓ２９に進み、設定確認画面９０の金額指定釦９０ｅが押圧操作されたかどうかをチェックする。Ｓ２９において、設定確認画面９０の金額指定釦９０ｅが押圧操作されないときは、Ｓ２７に戻り、Ｓ２７〜Ｓ２９の処理を繰り返す。
【００８０】
上記Ｓ２７において、確認釦（満タン）９０ｆが押圧操作されたときは、満タン給液モードが選択されたものと判断してＳ３０に進み、設定完了画面９２（図８参照）をタッチパネル４９に表示して給液操作の開始を指示する。
【００８１】
また、上記Ｓ２８において、設定確認画面９０の量指定釦９０ｄが押圧操作されたときは、Ｓ３１に進み、量指定選択画面（図示せず）をタッチパネル４９の画面に表示する。
【００８２】
次のＳ３２では、給液量を入力され、確認釦９０ｆが押圧操作されたかどうかをチェックする。Ｓ３２において、確認釦９０ｆが押圧操作されたときは、Ｓ３３に進み、設定確認画面９０をタッチパネル４９の画面に表示して設定内容の確認を行う。
【００８３】
Ｓ３４では、給液量などの設定内容を確認するため確認釦９０ｆが押圧操作されたかどうかをチェックする。Ｓ３４において確認釦９０ｆが押圧操作されると、Ｓ３７に進み、Ｓ３７以降の処理を実行する。
【００８４】
また、上記Ｓ２９において、設定確認画面９０の金額指定釦９０ｅが押圧操作された場合には、Ｓ３５に進み、金額指定選択画面（図示せず）をタッチパネル４９の画面に表示する。この後は、上記量指定の場合と同様にＳ３２以降の処理を実行する。
【００８５】
このように、Ｓ２７において、満タン給液モードが選択された場合、あるいはＳ２８で給液量を設定したプリセット給液モードが選択された場合、あるいはＳ２９で給液額を設定したプリセット給液モードが選択された場合には、Ｓ３６に進む。
【００８６】
次のＳ３６では、ノズル掛け６２に設けられたノズルスイッチ７４がオフかどうかをチェックする。Ｓ３６において、ノズルスイッチ７４がオフになると、ノズル掛け６２から給液ノズル６０が外されて車両（図示せず）の給液口に挿入され、満タン給液が開始されたものと判断する。
【００８７】
続いて、Ｓ３７では、タッチパネル４９の画面に給液中画面９４（図９参照）を表示して給液中の給液情報（給液量、税込み金額、単価など）を報知する。
【００８８】
次のＳ３８では、プリセット給液モードの場合、流量計７２により計測された給液量または給液金額が予め設定されたプリセット値に達したかどうかをチェックする。Ｓ３８において、給液量または給液金額が予め設定されたプリセット値に達しないときは、Ｓ３９に進み、ノズル掛け６２に設けられたノズルスイッチ７４がオンかどうかをチェックする。
【００８９】
Ｓ３９において、ノズルスイッチ７４がオンになると、満タン給液モードが終了してノズル掛け６２に給液ノズル６０が戻されて当該車両（図示せず）への満タン給液が終了したものと判断し、Ｓ４０に進む。
【００９０】
上記Ｓ３８において、給液量または給液金額が予め設定されたプリセット値に達したときは、プリセット給液モードが終了したものと判断し、あるいは上記Ｓ３９において、ノズルスイッチ７４がオンであるときは、満タン給液モードが終了したものと判断してＳ３９に進み、給液ポンプ７０を停止させる。
【００９１】
その後、タッチパネル４９の画面に給液終了画面９６（図１０参照）を表示する。これで、給液処理が終了する。
【００９２】
尚、上記実施の形態では、地上設置型の計量機に取り付けられた構成を一例として挙げたが、これに限らず、懸垂式の給液装置にも適用できるのは勿論である。
【００９３】
また、上記実施の形態では、ガソリンや軽油等の油液を車両の燃料タンクに給液する場合を一例として挙げたが、これに限らず、油液以外の燃料（例えば、燃料電池車で消費される水素、あるいはＬＰＧ車やＣＮＧ車などで燃料として消費されるガス等）を供給するシステムにも適用できるのは勿論である。
【００９４】
【発明の効果】
上述の如く、上記請求項１記載の発明によれば、被燃料供給体への燃料の供給に先立って供給すべき燃料の情報を設定するための設定操作部と、設定操作部により設定された燃料の情報に基づいて燃料の供給を制御する供給制御手段と、表示手段と、設定操作部の操作が完了したことを検出する事前操作完了検出手段と、事前操作完了検出手段により設定操作部の操作が完了することが検出されるまでは当該設定操作部に関する操作の案内を表示手段に表示させ、事前操作完了検出手段により設定操作部の操作が完了したことを検出した場合には、被燃料供給体への燃料供給量を表示手段に表示させる表示制御手段と、を備えたため、表示手段が設定操作部と燃料供給量の表示器を兼ねる構成とすることで、部品点数の削減、及び省スペース化を図ることができる。
【００９５】
上記請求項２記載の発明によれば、供給制御手段により供給された前回の燃料供給に関する情報を表示指示するための指示手段と、指示手段が操作された場合に表示手段に前回の燃料供給に関する情報を表示させる第２の表示制御手段と、を備えたため、例えば、前回の燃料供給を行った顧客が伝票を紛失した場合でも表示手段に前回の燃料供給に関する情報を表示させて燃料供給量及び供給量に対応する精算金額や釣り銭の有無等を確認することができる。
【００９６】
上記請求項３記載の発明によれば、表示手段がタッチパネルよりなり、当該タッチパネル内に指示手段を表示させたため、表示手段が設定操作部を兼ねる構成となり、部品点数の削減、及び省スペース化を図ることができる。
【図面の簡単な説明】
【図１】本発明になる燃料供給装置の一実施例が適用された給液システムの構成図である。
【図２】燃料供給装置１６の正面図である。
【図３】燃料供給装置１６の各機器の構成を示すブロック図である。
【図４】支払い方法入力画面８４の表示例を示す図である。
【図５】紙幣入金画面８６の表示例を示す図である。
【図６】液種選択画面８８の表示例を示す図である。
【図７】設定確認画面９０の表示例を示す図である。
【図８】設定完了画面９２の表示例を示す図である。
【図９】給液中画面９４の表示例を示す図である。
【図１０】給液終了画面９６の表示例を示す図である。
【図１１】燃料供給装置１６の制御回路６６が実行する制御処理を説明するためのフローチャートである。
【図１２】図１１に示す処理に続いて実行される制御処理を説明するためのフローチャートである。
【符号の説明】
１０  給液システム
１２  給液エリア
１４  釣り銭機
１６（１６１〜１６ｎ）  燃料供給装置
２０  ＰＯＳ本体
２２  記憶装置
２４  計量機
２６  設定器
２８  自動支払機
３０  通信回線
３２１〜３２ｎ  監視カメラ
３４  カメラ分割ユニット
３６  監視モニタ
３８  操作部
４９  タッチパネル
５０  人検知センサ
５２  紙幣挿入部
５４  カード挿入部
５６  レシート発行部
６２  ノズル掛け
６０  給液ノズル
６６  制御回路
７０  給液ポンプ
７２  流量計
７８  カードＲ／Ｗ
８０  メモリ
８２  プリンタ
８４  支払い方法入力画面
８４ｃ  前回給液量釦
８６  紙幣入金画面
８８  液種選択画面
９０  設定確認画面
９２  設定完了画面
９４  給液中画面
９６  給液終了画面
【図１】
2004175375.tif 000003
【図２】
2004175375.tif 000004
【図３】
2004175375.tif 000005
【図４】
2004175375.tif 000006
【図５】
2004175375.tif 000007
【図６】
2004175375.tif 000008
【図７】
2004175375.tif 000009
【図８】
2004175375.tif 000010
【図９】
2004175375.tif 000011
【図１０】
2004175375.tif 000012
【図１１】
2004175375.tif 000013
【図１２】
2004175375.tif 000014